(57)【要約】【課題】配管を支持固定するに際して、作業時間やコストを低減することのできる配管支持装置を提供すること。【解決手段】配管を管周囲方向から支持するリング状支持部と、このリング状支持部を固定基盤に対して固定するための平板部１４と、この平板部１４の固定基盤に対する取り付け高さを調整する高さ調整機構とを備え、高さ調整機構は、固定基盤に対して埋め込まれるアンカーボルト４０と、アンカーボルト４０の軸方向に沿って移動可能な雌ねじ部材４１とを備え、この雌ねじ部材４１の移動に連動して平板部１４も移動可能に構成した。【選択図】    図６
2004162741.tif 000002
【特許請求の範囲】
【請求項１】
配管を管周囲方向から支持するリング状支持部と、
このリング状支持部に支持される配管を固定基盤に対して取り付けるためのベース部と、
このベース部の前記固定基盤に対する取り付け高さを調整する高さ調整機構とを備えたことを特徴とする配管支持装置。
【請求項２】
前記高さ調整機構は、固定基盤に対して打設されるアンカーボルトと、このアンカーボルトの軸方向に沿って移動可能な調整部材とを備え、この調整部材の移動に連動して前記ベース部も移動可能に構成したことを特徴とする請求項１に記載の配管支持装置。
【請求項３】
前記ベース部は、アンカーボルトを貫通させるための貫通孔が形成された平板部を備えており、
前記調整部材は、前記貫通孔に挿入可能な外径を有する挿入部と、この挿入部の一端側に形成され貫通孔よりも大きな外径を有する抜け止め部と、挿入部の他端側に貫通孔よりも大きな外径を有する固定ナットを螺合可能なナット螺合部とを備え、前記平板部は、調整部材の抜け止め部と固定ナットにより挟持されることを特徴とする請求項２に記載の配管支持装置。
【請求項４】
前記調整部材の挿入部には、外周方向に切り込み部が形成されていることを特徴とする請求項３に記載の配管支持装置。
【請求項５】
配管をリング状支持部により管周囲方向から支持するにあたり、配管が管軸方向に沿って移動するのを阻止する阻止機構を設けていることを特徴とする請求項１〜４のいずれか１項に記載の配管支持装置。
【請求項６】
請求項２〜５のいずれか１項に記載の配管支持装置を用いて配管を支持する配管支持方法であって、
アンカーボルトを固定基盤に対して打設するステップと、
ベース部の高さ調整を行うステップと、
配管をリング状支持部に支持するステップと、
固定基盤の上のベース部を取り付ける位置に型枠をセットするステップと、
型枠内に充填材を充填させるステップとを適宜の順序で行うことを特徴とする配管支持方法。
【請求項７】
前記充填材は、無収縮モルタルであることを特徴とする請求項６に記載の配管支持方法。
【発明の詳細な説明】
【０００１】
【発明の属する技術分野】
本発明は、配管を管周囲方向から支持するリング状支持部と、このリング状支持部に支持される配管を固定基盤に対して取り付けるためのベース部とを備えた配管支持装置及びこれを用いた配管支持方法に関する。
【０００２】
【従来の技術】
トンネル内、共同溝内、浄水場等において、露出配管を支持するために配管支持装置が使用される。かかる配管支持装置の一例として、本出願人による特開２００２−２４３０６６号公報に開示される支持装置があげられる。この支持装置により配管を床面、壁面等の固定基盤に対して固定することができる。
【０００３】
【特許文献１】
特開２００２−２４３０６６号公報（図１、図３、図４等）
【発明が解決しようとする課題】
しかしながら、上述した床面（地面）や壁面等の固定基盤は、常に平面であるわけではなく、緩やかな凹凸を有している。すなわち、  配管を固定しようとする位置は、固定基盤から常に同じ高さにあるわけではない。従って、かかる高さの違いを吸収するための調整機構が必要となる。かかる従来の調整機構について、図８により説明する。
【０００４】
図８において、水平方向に配管１００が配管支持装置１０１により支持されている。この配管支持装置１０１は、配管１００を管周囲方向から支持するリング状支持部１０１ａと、これを固定基盤である床面Ｋに固定するためのベース部１０１ｂとを備えている。配管１００と、床面Ｋとの距離は場所によって異なるので、高さを吸収するために（ａ）では鋼材１０２を使用し、（ｂ）では鉄筋入りのコンクリート１０３を打設している。しかしながら、かかる鋼材やコンクリートを用いると作業時間やコストが多大なものになる。
【０００５】
本発明は上記実情に鑑みてなされたものであり、その課題は、配管を支持固定するに際して、作業時間やコストを低減することのできる配管支持装置及び配管支持方法を提供することである。
【課題を解決するための手段】
上記課題を解決するため本発明に係る配管支持装置は、
配管を管周囲方向から支持するリング状支持部と、
このリング状支持部に支持される配管を固定基盤に対して取り付けるためのベース部と、
このベース部の前記固定基盤に対する取り付け高さを調整する高さ調整機構とを備えたことを特徴とするものである。
【０００６】
この構成によると、ベース部を固定基盤に対して取り付ける際に、高さ調整機構により高さを調整することができる。すなわち、  固定基盤に凹凸があったとしても高さ調整機構により、個々の配管支持装置の取り付け高さ位置を調整できる。従って、鋼材やコンクリート等により高さ調整をしなくてもよい。その結果、配管を支持固定するに際して、作業時間やコストを低減することのできる配管支持装置を提供することができる。
【０００７】
本発明の好適な実施形態として、前記高さ調整機構は、固定基盤に対して打設されるアンカーボルトと、このアンカーボルトの軸方向に沿って移動可能な調整部材とを備え、この調整部材の移動に連動して前記ベース部も移動可能に構成したものがあげられる。
【０００８】
アンカーボルトは、固定基盤に対して埋め込まれることにより位置を固定される。このアンカーボルトの軸方向に沿って移動可能な調整部材を備えている。従って、配管を適切な姿勢に支持できるように、調整部材を軸方向に沿った適宜の位置に設定すればよい。
【０００９】
本発明の別の好適な実施形態として、前記ベース部は、アンカーボルトを貫通させるための貫通孔が形成された平板部を備えており、
前記調整部材は、前記貫通孔に挿入可能な外径を有する挿入部と、この挿入部の一端側に形成され貫通孔よりも大きな外径を有する抜け止め部と、挿入部の他端側に貫通孔よりも大きな外径を有する固定ナットを螺合可能なナット螺合部とを備え、前記平板部は、調整部材の抜け止め部と固定ナットにより挟持されるものがあげられる。
【００１０】
この構成によると、貫通孔に挿入された調整部材と固定ナットによりベース部（平板部）を挟持しているので、調整部材をアンカーボルトの軸方向に沿って移動させると、ベース部もいっしょに移動する。これにより、簡単な機構により高さ調整を行うことができる。
【００１１】
本発明の別の好適な実施形態として、前記調整部材の挿入部には、外周方向に切り込み部が形成されているものがあげられる。
【００１２】
アンカーボルトに設けた高さ調整機構による調整が終了した後に、アンカーボルトの周囲を充填材により充填して固定する。この場合、挿入部の外周方向に切り込み部を形成しておけば、この切り込み部にも充填材が入りこむ。これにより、配管支持装置を固定基盤に対して確実に固定することができる。
【００１３】
本発明の更に別の好適な実施形態として、配管をリング状支持部により管周囲方向から支持するにあたり、配管が管軸方向に沿って移動するのを阻止する阻止機構を設けているものがあげられる。
【００１４】
配管に曲がり部を有する場合、複数の管体の継手部に、管内の流体圧により不平均力が作用する。この不平均力に起因して、管路の継手部に管体の軸芯方向に沿った力が作用する。そこで、配管が管軸方向に沿って移動するのを阻止する阻止手段を設けることで、確実に配管を支持することができる。
【００１５】
本発明に係る配管支持装置を用いて配管を支持する配管支持方法は、
アンカーボルトを固定基盤に対して打設するステップと、
ベース部の高さ調整を行うステップと、
配管をリング状支持部に支持するステップと、
固定基盤の上のベース部を取り付ける位置に型枠をセットするステップと、
型枠内に充填材を充填させるステップとを適宜の順序で行うことを特徴とするものである。
【００１６】
かかる配管支持方法によると、配管支持装置のベース部の高さ調整を行った後、配管をリング状支持部に支持する。また、高さ調整を行った後、セットされた型枠内に充填材を充填させる。これにより、配管支持装置を確実に固定基盤に対して固定させることができる。
【００１７】
本発明の好適な実施形態として、前記充填材は、無収縮モルタルである。無収縮モルタルは、硬化していく過程でほとんど収縮しないので、硬化させた後も確実に配管支持装置を保持することができる。
【００１８】
【発明の実施の形態】
本発明に係る配管支持装置の好適な実施形態を図面を用いて説明する。図１〜図５に配管支持装置の構成を示す。図１は、正面図（管軸方向視）、図２は図１のＡ−Ａ断面図、図３は、側面図、図４は図１のＢ−Ｂ断面図、図５は斜視図である。
【００１９】
＜配管支持装置の基本構成＞
管体１は、本発明にかかる配管支持装置に支持させている。配管支持装置は、配管の適宜の間隔ごとに配置することで配管を支持する。配管支持装置は、第１管支持部１０と第２管支持部２０とを備えている。第１管支持部１０は、管体１の下側に位置し、管体１の外径よりもわずかに大きな内径を有する半円形の第１管受け部１１と、配管方向に直交する方向に形成された第１補強リブ１２と、配管方向に形成された第２補強リブ１３とを備えている。第１管支持部１０の最下面はベース部として機能する平板部１４である。平板部１４には、４箇所貫通孔１５が形成されている。この平板部１４を用いて、配管を固定基盤に対して固定する。
【００２０】
第２管支持部２０は、管体１の上側に位置し、管体１の外径よりもわずかに大きな内径を有する半円形の第２管受け部２１が設けられている。第１管受け部１１と第２管受け部２１とにより、配管を管周囲方向から支持するリング状支持部が構成される。図１に示すように、第１管支持部１０に形成されたフランジ部１６と、第２管支持部２０に形成されたフランジ部２２とを面合わせし、ボルト・ナット機構２３により両者を結合することができる。
【００２１】
次に、不平均力により管体１が管軸方向に沿って移動するのを防止する阻止機構について説明する。そのため、管体１の周囲方向に１２箇所、雌ねじ部３１が形成される。図３にも示すように、雌ねじ部３１は、管軸方向に沿って２箇所（２列）設けられている。雌ねじ部３１には、雄ねじ部材３０が螺合される。雄ねじ部材３０の先端部３０ａは鋭利に形成されており、管体１の外表面に食い込む作用をする。これにより、管体１の管軸方向の移動を阻止することができる。
【００２２】
また、図２に示すように、管体１の表面と第２管支持部２０（第１管支持部１０も同様）との間に形成される隙間を埋めるためにコーキング剤２５が充填される。第２管支持部２０にも補強リブ２４が形成され、第１管支持部１０の第１補強リブ１２と連続した形状となっている。
【００２３】
＜高さ調整機構の構成＞
次に、高さ調整機構について説明する。配管が敷設されるトンネル内、共同溝内、浄水場等において、床面（地面）や壁面等の固定基盤は、常に平面であるわけではなく、凹凸を有している。すなわち、  配管を固定しようとする位置は、固定基盤から常に同じ高さ（距離）にあるわけではない。従って、かかる高さ（距離）の違いを吸収するための調整機構が必要である。本発明では、かかる高さ調整機構を簡素な構成で提供しようとするものである。図６は、高さ調整機構の構成を示す図である。
【００２４】
図６に示すように、アンカーボルト４０を備えており、固定基盤の中に打設して埋め込まれる。アンカーボルト４０は外周に雄ねじが形成されている。このアンカーボルト４０に雌ねじ部材４１（調整部材に相当）が螺合し、アンカーボルト４０の軸方向に沿って移動可能である。
【００２５】
雌ねじ部材４１は、抜け止め部４１ａと、挿入部４１ｂと、ナット螺合部４１ｃと、工具作用部４１ｄと、切り込み部４１ｅとを備えている。抜け止め部４１ａは、平板部１４に形成された貫通孔１５よりも大きな外径を有する。挿入部４１ｂは、貫通孔１５よりも小さな外径を有しており貫通孔１５に挿入可能である。ナット螺合４１には、外径部に雄ねじが形成されており、固定ナット４２が螺合される。固定ナット４２は、貫通孔１５よりも大きな外径を有する。工具作用部４１ｄは、六角形の形状を有しており、工具を装着可能である。ここに工具を装着することで、雌ねじ部材４１を回転させることができる。図７は、雌ねじ部材４１を軸方向下側からみた図である。この図から分かるように、抜け止め部４１ａ及び挿入部４１ｂの外周には、所定のピッチで複数箇所に切り込み部４１ｅが形成されている。
【００２６】
図６に示す高さ調整機構は、ベース部（平板部１４）に４箇所設けられている。図６に示すように、平板部１４は、雌ねじ部材４１の抜け止め部４１ａと固定ナット４２とに挟持された状態に組み立てられる。雌ねじ部材４１を回転させると、雌ねじ部材４１はアンカーボルト４０の軸方向に沿って移動するので、平板部１４も同じように移動する。すなわち、  配管支持装置のアンカーボルト４０以外の部分は、固定基盤Ｋに対して移動するので、配管の取り付け高さを調整できることになる。高さを調整した後は、平板部１４の周囲を型枠４３で取り囲み、型枠４３の内部に無収縮モルタルＭを流し込む。無収縮モルタルＭにすれば、硬化した後に収縮による隙間が生じないので、強固に配管支持装置を固定することができる。この場合、切り込み部４１ｂの中にも無収縮モルタルＭが入りこむので、雌ねじ部材４１が不用意に回転するのを防止し、より強固に固定することができる。
【００２７】
調整幅を大きくするには、アンカーボルト４０の長さを十分にとっておけばよい。すなわち、  固定基盤Ｋの凹凸形状に応じて、微小な調整から大きな調整までが可能になる。また、図６に示すように、挿入部４１ｂの外径部と貫通孔１５との間には隙間Ｓが形成される。これは、施工現場で４箇所のアンカーボルト４０の打設位置に多少の芯ずれが生じてたとしても、隙間Ｓを設けることで、芯ずれを吸収することができる。
【００２８】
＜施工方法＞
次に、配管支持装置を用いて配管を支持させる場合の施工手順を説明する。配管支持装置から高さ調整機構の部分は取り外しておく。まず、アンカーボルト４０を４箇所固定基盤に打設する。次に、雌ねじ部材４１と固定ナット４２とをゆるめて分解する。４つの雌ねじ部材４１を各アンカーボルト４０にねじ込んでいく。雌ねじ部材４１は、およその位置までねじ込めばよい。配管支持装置の第１管支持部１０を各アンカーボルト４０に対して取り付ける。この場合、固定ナット４２もアンカーボルト４０に挿入し仮止めする。
【００２９】
次に、トランジットで芯出しを行い、雌ねじ部材４１の高さを微調整する。微調整が終了後、固定ナット４２を雌ねじ部材４１のナット螺合部４１ｃに結合する。これにより、ベース部（平板部１４）の高さが確定する。ついで、管体１を第１管支持部１０にあずけ、その後、第２管支持部２０を上部からセットし、ボルト・ナット機構２３により第１管支持部１０と結合する。また、第１・第２管支持部１０，２０に形成された雌ねじ部３１に雄ねじ部材３０を螺合させる。これにより、管体１は強固に固定される。次に、型枠４３をセットし、無収縮モルタルＭを充填させ、硬化させる。切り込み部４１ｂを通じて、空間Ｓにも無収縮モルタルＭが充填されるので、管体１の水平方向の移動を阻止することができる。
【００３０】
＜別実施形態＞
（１）配管支持装置の構成は、本実施形態に開示したものに限定されるものではなく、例えば、特開２００２−２４３０６６号公報等に開示される種々の構造を採用することができる。阻止機構についても、同様に種々の構成を採用可能である。なお、不平均力が作用しない環境下においては、阻止機構は必ずしも必要ではない。
【００３１】
（２）配管支持装置は、水平方向の固定基盤に設置するものに限定されるものではなく、例えば、トンネル内の側壁を固定基盤とするような場合にも使用できるものである。この場合の高さ方向は、水平方向に該当することになる。
【００３２】
（３）高さ調整機構の構成については、本実施形態に構造に限定されるものではなく、種々の変形例が可能である。例えば、アンカーボルトの個数についても４個でなくてもよい。平板部１４の形状についても正方形・長方形でなくてもよい。雌ねじ部材４１の形状についても種々の変形例が考えられる。
【図面の簡単な説明】
【図１】配管支持装置の構成を示す正面図
【図２】図１のＡ−Ａ断面図
【図３】配管支持装置の構成を示す側面図
【図４】図１のＢ−Ｂ断面図
【図５】配管支持装置の構成を示す斜視図
【図６】高さ調整機構の詳細構成を示す図
【図７】図６に示す雌ねじ部材の構成を示す図
【図８】従来技術を示す図
【符号の説明】
１        管体
１０      第１管支持部
１１      第１管受け部
１４      平板部
１５      貫通孔
２０      第２管支持部
２１      第２管受け部
４０      アンカーボルト
４１      雌ねじ部材
４１ａ    抜け止め部
４１ｂ    挿入部
４１ｃ    ナット螺合部
４１ｄ    工具作用部
４１ｅ    切り込み部
４２      固定ナット
４３      型枠
Ｋ        固定基盤
Ｍ        無収縮モルタル
【図１】
2004162741.tif 000003
【図２】
2004162741.tif 000004
【図３】
2004162741.tif 000005
【図４】
2004162741.tif 000006
【図５】
2004162741.tif 000007
【図６】
2004162741.tif 000008
【図７】
2004162741.tif 000009
【図８】
2004162741.tif 000010